(57)【特許請求の範囲】
【請求項１】
上部に胴周り開口と、下部に一対の脚周り開口とが画成されたトランクス型の使い捨てパンツにおいて、
前記パンツが、互いに対向する一対の両側身頃と、前記両側身頃の間に位置して下方へ向かい凸となる中央身頃と、吸液性コアとから構成され、
前記両側身頃が、股上側部と、前記股上側部から下方へ延びる股下外側部とを有し、
前記中央身頃が、股上前部と、前記股上前部に対向する股上後部と、前記股上前後部の間に位置する股間部と、前記股間部の両側から下方へ延びる一対の股下内側部とを有し、
前記中央身頃が、前記股上前後部と前記股間部との境界および前記股下内側部と前記股間部との境界において折曲されており、
前記中央身頃の前記股間部の幅が前記吸液性コアの幅とほぼ同じかそれより大きく、
前記両側身頃の股上側部と前記中央身頃の股上前後部とが、前記胴周り開口を形成する上縁部を除いた残余の縁部で固着され、前記両側身頃の股下外側部と前記中央身頃の股下内側部とが、前記脚周り開口を形成する下縁部を除いた残余の縁部で固着されており、
前記吸液性コアが、前記中央身頃の内面であって、前記股上前後部と前記股間部とのうちの少なくとも該股間部に配置されていることを特徴とする前記パンツ。
【請求項２】
前記吸液性コアが、透液性内面シートと不透液性外面シートとによって被覆されており、前記パンツとは別体の排泄物を吸収、保持する吸収性部材を成している請求項１記載のパンツ。
【請求項３】
前記両側身頃と前記中央身頃とのうちの少なくとも該中央身頃が、透液性内面シートと不透液性外面シートとから形成されており、それらシートの間に前記吸液性コアが介在している請求項１記載のパンツ。
【発明の詳細な説明】
【０００１】
【発明の属する技術分野】
本発明は、トランクス型の使い捨てパンツに関する。
【０００２】
【従来の技術】
別体の前後身頃各々を互いに重ね合わせ、前後身頃の股間部にそれら身頃の腰周りの側へ凸曲する接合線を施して前後身頃を固着したトランクス型の使い捨てパンツが、特開平６−５７５０１号公報と特開平６−６３０７３号公報とに開示されている。パンツには、上部に胴周り開口と、下部に一対の脚周り開口とが画成されている。パンツでは、股間部に腰周り側へ凸曲する接合線を施すことで、股間部の幅を広く形成することができるとともに、身体の大腿内側を被う被覆部を形成することができる。
【０００３】
【発明が解決しようとする課題】
それら公報に開示のパンツは、前身頃と後身頃とのシート面が互いに重なり合う扁平のもので、パンツの着用時に着用者の腹部と臀部と大腿とで、パンツの内部を広げて腹部や胴部、大腿を包被する空間を作らなければならない。
【０００４】
本発明の課題は、あらかじめパンツの内部に着用者の腹部と臀部とを包被する空間が形成されたトランクス型の使い捨てパンツを提供することにある。
【０００５】
【課題を解決するための手段】
前記課題を解決するために、本発明が前提とするところは、上部に胴周り開口と、下部に一対の脚周り開口とが画成されたトランクス型の使い捨てパンツである。
【０００６】
かかる前提において、本発明が特徴とするところは、前記パンツが、互いに対向する一対の両側身頃と、前記両側身頃の間に位置して下方へ向かい凸となる中央身頃と、吸液性コアとから構成され、前記両側身頃が、股上側部と、前記股上側部から下方へ延びる股下外側部とを有し、前記中央身頃が、股上前部と、前記股上前部に対向する股上後部と、前記股上前後部の間に位置する股間部と、前記股間部の両側から下方へ延びる一対の股下内側部とを有し、前記中央身頃が、前記股上前後部と前記股間部との境界および前記股下内側部と前記股間部との境界において折曲されており、前記中央身頃の前記股間部の幅が前記吸液性コアの幅とほぼ同じかそれより大きく、前記両側身頃の股上側部と前記中央身頃の股上前後部とが、前記胴周り開口を形成する上縁部を除いた残余の縁部で固着され、前記両側身頃の股下外側部と前記中央身頃の股下内側部とが、前記脚周り開口を形成する下縁部を除いた残余の縁部で固着されており、前記吸液性コアが、前記中央身頃の内面であって、前記股上前後部と前記股間部とのうちの少なくとも該股間部に配置されていることにある。
【０００７】
本発明の実施の態様の一例としては、前記吸液性コアが、透液性内面シートと不透液性外面シートとによって被覆されており、前記パンツとは別体の排泄物を吸収、保持する吸収性部材を成している。
【０００８】
本発明の実施の態様の他の一例としては、前記両側身頃と前記中央身頃とのうちの少なくとも該中央身頃が、透液性内面シートと不透液性外面シートとから形成されており、それらシートの間に前記吸液性コアが介在している。
【０００９】
【発明の実施の形態】
添付の図面を参照し、本発明に係るトランクス型の使い捨てパンツの詳細を説明すると、以下のとおりである。
【００１０】
図１，２は、パンツ１の部分破断斜視図と、図１のＡ−Ａ線矢視断面図とであり、図３，４は、後記する弾性帯１２の図示を省略して示す図１のパンツ１の分解斜視図である。図３，４では、両側身頃２各々が面対称に対向配置され、両側身頃２の間に中央身頃３と排泄物を吸収、保持する吸収性部材４とが配置されている。なお、図３，４では、両側身頃２各々における股上側部２Ａと股下外側部２Ｂとの境界を一点鎖線Ｌ１で示し、中央身頃３における股上前後部３Ａ，３Ｃと股間部３Ｂとの境界を一点鎖線Ｌ２，Ｌ３で、股間部３Ｂと股下内側部３Ｄとの境界を一点鎖線Ｌ４で示す。
【００１１】
パンツ１は、対称な一対の両側身頃２と、両側身頃２の間に位置する中央身頃３と、パンツ１とは別体の吸収性部材４とから構成されている。パンツ１には、その上部に胴周り開口１０と、その下部に一対の脚周り開口１１とが画成されている。中央身頃３の内面には、吸収性部材４が取り付けられている。胴周り開口１０の縁部には、弾性伸縮性を有する弾性帯１２が取り付けられている。弾性帯１２は、複数条の弾性伸縮性部材１２ａと不織布１２ｂとから形成され、弾性部材１２ａが不織布１２ｂに被覆された状態で不織布１２ｂに伸長下に接合されている。
【００１２】
両側身頃２は、弾性伸縮性を有する不織布から形成され、股上側部２Ａと、股上側部２Ａから下方へ延びる股下外側部２Ｂとを有する。股上側部２Ａは、胴周り開口１０を形成する上縁部２ａと、互いに並行して延びる側縁部２ｂとを有する。股下外側部２Ｂは、脚周り開口１１を形成する下縁部２ｃと、互いに並行して延びる側縁部２ｄとを有する。
【００１３】
中央身頃３は、弾性伸縮性を有する不織布から形成され、股上前部３Ａと、股上後部３Ｃと、股上前後部３Ａ，３Ｃの間に位置する股間部３Ｂと、股間部３Ｂの両側から下方へ延びる一対の股下内側部３Ｄとを有する。
【００１４】
股上前後部３Ａ，３Ｃは、胴周り開口１０を形成する上縁部３ａと、互いに並行して延びる側縁部３ｂとを有する。股下内側部３Ｄは、脚周り開口１１を形成する下縁部３ｃと、互いに並行して延びる側縁部３ｄとを有する。
【００１５】
吸収性部材４は、中央身頃３の股上前後部３Ａ，３Ｃと股間部３Ｂとに位置している。吸収性部材４は、透液性内面シート５と、中央身頃３の内面に対向する不透液性外面シート６と、それらシート５，６の間に介在する吸液性コア７とから形成されている。内面シート５と外面シート６とは非伸縮性のものである。コア７は、表面全域が透水性のティッシュペーパー（図示せず）によって被覆され、ティッシュペーパーを介して内面シート５と外面シート６との少なくとも一方に接合されている。吸収性部材４には、コア７の両側縁７ａの外側に側部シート８が取り付けられている。吸収性部材４では、外面シート６が中央身頃３の内面に間欠的に固着されている。
【００１６】
側部シート８は、非伸縮性のもので、内面シート５に固着された外側部８ａと、外側部８ａに並行して変形自由な内側部８ｂと、部材４の内側に倒伏された状態で内面シート５に固着された両端部８ｃとを有する。外側部８ａは、コアの両側縁７ａから外方へ延びる部分８ｄを有する。内側部８ｂは、弾性伸縮性部材９を被覆するように２つに折り重ねられている。弾性部材９は、伸長状態で内側部８ｂに取り付けられている。内側部８ｂは、弾性部材９の収縮によって、内面シート５から上方へ起立する。
【００１７】
吸収性部材４では、内面シート５の両側部分５ａがコア７の両側縁７ａから外方へわずかに延び、外面シート６の両側部分６ａと側部シート８の外側部分８ｄとが内面シート５の両側部分５ａからさらに外方へ延びている。両側部分５ａは、両側部分６ａと外側部分８ｄとの間に位置してそれら部分６ａ，８ｄの少なくとも一方に固着されている。両側部分６ａと外側部分８ｄとは、それら部分６ａ，８ｄが互いに重なり合った状態で固着されている。
【００１８】
図３の分解斜視図に基づいてパンツ１を作る手順を説明すると、以下のとおりである。図３では、股下内側部３Ｄが股間部３Ｂから外方へ直状に延びている。
【００１９】
最初に、吸収性部材４を中央身頃３の内面に配置、固着する。次に、中央身頃３の股上前部３Ａと股上後部３Ｃとが股間部３Ｂに対して交差するように、股上前部３Ａと股上後部３Ｃとを鎖線Ｌ２，Ｌ３において矢印Ｘの方向へ折曲する。中央身頃３の股下内側部３Ｄが股間部３Ｂに対して交差するように、股下内側部３Ｄ各々を鎖線Ｌ４において矢印Ｙの方向へ折曲する。折曲された中央身頃３では、図４に示すように、股上前部３Ａと股上後部３Ｃとが互いに対向し、股下内側部３Ｄが股間部３Ｂから下方へ延びている。
【００２０】
図４では、股上側部２Ａの側縁部２ｂと股上前後部３Ａ，３Ｃの側縁部３ｂとを重ね合わせ、股下外側部２Ｂの側縁部２ｄと股下内側部３Ｄの側縁部３ｄとを重ね合わせる。次に、側縁部２ｂと側縁部３ｂとを固着し、側縁部２ｄと側縁部３ｄとを固着して図１のパンツ１を得ることができる。
【００２１】
組立てられたパンツ１では、中央身頃３のうちの股上前後部３Ａ，３Ｃと股間部３Ｂとが両側身頃２各々の股上側部２Ａに対して交差し、中央身頃３の股下内側部３Ｄが両側身頃２各々の股下外側部２Ｂに対して並行する。パンツ１は、股上側部２Ａに対して股上前後面部３Ａ，３Ｃと股間部３Ｂとが交差して延びているので、従来技術に示す前身頃と後身頃とのシート面が互いに重なり合うパンツと異なり、パンツ１の内部に股上側部２Ａと股上前後面部３Ａ，３Ｃと股間部３Ｂとに囲まれた空間が形成される。
【００２２】
図５，６は、他の実施の形態を示すパンツ１の部分破断斜視図と、図５のＢ−Ｂ線矢視断面図とであり、図７は、弾性帯１２の図示を省略して示す図５のパンツ１の分解斜視図である。図７では、股上側部２Ａと股下外側部２Ｂとの境界を一点鎖線Ｌ１で示し、股上前後部３Ａ，３Ｃと股間部３Ｂとの境界を一点鎖線Ｌ２，Ｌ３で、股間部３Ｂと股下内側部３Ｄとの境界を一点鎖線Ｌ４で示す。
【００２３】
パンツ１は、両側身頃２と、中央身頃３とから構成され、上部に胴周り開口１０と下部に一対の脚周り開口１１とを有し、胴周り開口１０の縁部に弾性帯１２が取り付けられている点において、図１のそれと同一であり、図７の分解斜視図からパンツ１を作る手順についても、図３，４のそれと同一であるので、その説明は省略する。
【００２４】
図５のパンツ１が図１のそれと異なる点は、中央身頃３が透液性内面シート１３と、不透液性外面シート１４と、それらシート１３，１４の間に介在する吸液性コア１５とから形成されていることにある。パンツ１では、内面シート１３と外面シート１４とが非伸縮性のものであり、両側身頃２が非伸縮性の不織布から形成されている。
【００２５】
コア１５は、表面全域が透水性のティッシュペーパー（図示せず）によって被覆、接合され、ティッシュペーパーを介して内面シート１３と外面シート１４との少なくとも一方に接合されている。中央身頃３では、コア１５の両側縁１５ａの外側に側部シート１６が取り付けられている。
【００２６】
側部シート１６は、非伸縮性のもので、内面シート１３に固着された外側部１６ａと、外側部１６ａに並行して変形自由な内側部１６ｂと、中央身頃３の内側に倒伏された状態で内面シート１３に固着された両端部１６ｃとを有する。外側部１６ａは、コアの両側縁７ａから外方へ延びる部分１６ｄを有する。内側部１６ｂは、弾性伸縮性部材１７を被覆するように２つに折り重ねられている。弾性部材１７は、伸長状態で内側部１６ｂに取り付けられている。内側部１６ｂは、弾性部材１７の収縮によって、内面シート１３から上方へ起立する。
【００２７】
中央身頃３では、内面シート１３の両側部分１３ａがコア１５の両側縁１５ａから外方へわずかに延び、外面シート１４の両側部分１４ａと側部シート１６の外側部分１６ｄとが内面シート１３の両側部分１３ａからさらに外方へ延びている。両側部分１３ａは、両側部分１４ａと外側部分１６ｄとの間に位置してそれら部分１４ａ，１６ｄの少なくとも一方に固着されている。両側部分１４ａと外側部分１６ｄとは、それら部分１４ａ，１６ｄが互いに重なり合った状態で固着されている。
【００２８】
中央身頃３の上縁部３ａでは、コア１５の端縁から外方へ延びる内面シート１３と外面シート１４との互いに重なり合う部分が固着されている。股下内側部３Ｄは、表面シート１３の両側部分１３ａから外方へ延びる裏面シート１４の両側部分１４ａと側部シート１６の外側部分１６ｄとから形成されている。
【００２９】
それら図示例のパンツ１では、弾性帯１２が取り付けられているが、弾性伸縮性部材を直接、両側身頃２と中央身頃３との縁部２ａ，３ａに伸長状態で取り付けてもよい。
【００３０】
図１のパンツ１では、両側身頃２と中央身頃３との少なくとも中央身頃３が非伸縮性の不織布から形成されていてもよい。また、中央身頃３が伸縮性を有する不織布からなる場合は、吸収性部材４のうち、内面シート５と外面シート６と側部シート８との少なくとも外面シート６に伸縮性のシートを使用することができる。
【００３１】
図５のパンツ１では、中央身頃３のうち、内面シート１３と外面シート１４と側部シート１６との少なくとも外面シート１４が伸縮性を有するとともに、両側身頃２が伸縮性の不織布から形成されていてもよい。また、図５のパンツ１では、両側身頃２が透液性内面シート１３と、不透液性外面シート１４と、それらシート１３，１４の間に介在する吸液性コア１５とから形成されていてもよい。
【００３２】
内面シート５，１３には、透液性であって親水性の不織布を使用することが好ましい。外面シート６，１４には、疎水性不織布、不透液性のプラスチックフィルム、または、疎水性不織布とプラスチックフィルムとのラミネートシートを使用することが好ましい。側部シート８，１６には、疎水性不織布、好ましくは、通気不透液性の不織布を使用することが好ましい。
【００３３】
不織布としては、スパンレース、ニードルパンチ、メルトブローン、サーマルボンド、スパンポンド、ケミカルボンド、エアースルー等により製造された不織布を使用することができる。不織布には、開口を形成して透湿性を向上させたものや不織布のシート面に凹凸を形成してクッション性を向上させたものを使用することもできる。また、高い耐水性を有するメルトブローン不織布を、高い強度を有しかつ柔軟性に富んだスパンボンド不織布で挟んだ複合不織布（ＳＭＳ不織布）を使用することもできる。
【００３４】
不織布の構成繊維としては、ポリオレフィン系、ポリエステル系、ポリアミド系、の各繊維、ポリエチレン／ポリプロピレンまたはポリエステルの複合繊維等を使用することができる。また、上記繊維にレーヨンやコットン等のセルロース系の繊維を加え、不織布の吸液性、透湿性を向上させることもできる。
【００３５】
コア７，１５は、フラッフパルプと高吸収性ポリマー粒子と熱可塑性合成樹脂繊維との混合物であり、所要の厚みに圧縮されている。
【００３６】
身頃２，３の固着や吸収性部材４の固着、弾性部材９，１７、弾性帯１２の取り付け、コア７，１５の接合には、ホットメルト接着剤等の接着剤、または、ヒートシールやソニックシール等の熱溶着の技術を利用することができる。
【００３７】
【発明の効果】
本発明に係るトランクス型の使い捨てパンツによれば、両側身頃の股上側部に対して中央身頃の股上前後部と股間部とが交差して延びているので、前身頃と後身頃とのシート面が互いに重なり合った従来技術のパンツと比較し、あらかじめパンツに着用者の腹部と臀部とを包被する空間が形成される。パンツでは、着用時に着用者の腹部と臀部とで、パンツの内部を広げる必要はない。
【図面の簡単な説明】
【図１】パンツの部分破断斜視図。
【図２】図１のＡ−Ａ線矢視断面図。
【図３】図１のパンツの分解斜視図。
【図４】図１のパンツの分解斜視図。
【図５】他の実施の形態を示すパンツの部分破断斜視図。
【図６】図５のＢ−Ｂ線矢視断面図。
【図７】図５のパンツの分解斜視図。
【符号の説明】
１              トランクス型の使い捨てパンツ
２              両側身頃
２Ａ            股上側部
２Ｂ            股下外側部
２ａ            上縁部
２ｂ            側縁部
２ｃ            下縁部
２ｄ            側縁部
３              中央身頃
３Ａ            股上前部
３Ｂ            股間部
３Ｃ            股上後部
３Ｄ            股下内側部
３ａ            上縁部
３ｂ            側縁部
３ｃ            上縁部
３ｄ            側縁部
４              吸収性部材
５              透液性内面シート
６              不透液性外面シート
７              吸液性コア
１０              胴周り開口
１１              脚周り開口
１３              透液性内面シート
１４              不透液性外面シート
１５              吸液性コア
【図１】
0003862483.tif 000002
【図２】
0003862483.tif 000003
【図３】
0003862483.tif 000004
【図４】
0003862483.tif 000005
【図５】
0003862483.tif 000006
【図６】
0003862483.tif 000007
【図７】
0003862483.tif 000008